(57)【要約】【課題】打撃部材をできる限り軽量化しつつ、打撃部材に充分なスピードを与えることのできるプランジャ式ソレノイド駆動の遊技球発射装置を提供する。【解決手段】ケースとなるヨーク３にコイルボビン５が挿着され、このコイルボビン５にガイドパイプ１１が嵌合される。プランジャ６０にはプッシュロッド５１が貫通して挿着され、ガイドパイプ１１の前端と後端にはそれぞれフロン後軸受１３とリア軸受１５とが固定されて、該フロント軸受１３とリア軸受１５にプッシュロッド５１が挿通される。リア軸受１５はガイドパイプ１１内へ突出する突出部１５３を備え、該突出部１５３の先端側でプッシュロッド５１を支持する。プランジャ６０はリア軸受１５の突出部１５３に遊嵌する凹部６１を備え、コイル６がオフの状態でプランジャ６０の凹部６１はリア軸受１５の突出部１５３に重なり、コイル６がオンとなるとプランジャ６０はリア軸受１５から離れる方向に移動する。【選択図】図１
2009005882.tif 000002
【特許請求の範囲】
【請求項１】
ケースと、該ケースに挿着されたガイドパイプと、前記ケースとガイドパイプとの間に配置される電磁コイルと、前記ガイドパイプへ遊挿されるプランジャとを備える遊技球発射装置であって、
前記プランジャにはプッシュロッドが貫通して挿着され、前記ガイドパイプの前端と後端にはそれぞれフロント軸受とリア軸受とが固定されて、該フロント軸受とリア軸受に前記プッシュロッドが遊挿され、
前記リア軸受は前記ガイドパイプ内へ突出する突出部を備え、該突出部の先端側で前記プッシュロッドを支持し、
前記プランジャは前記リア軸受の突出部に遊嵌する凹部を備え、
前記電磁コイルがオフの状態で前記プランジャの凹部は前記リア軸受の突出部に重なり、前記電磁コイルがオンとなると前記プランジャは前記リア軸受から離れる方向に移動する、
ことを特徴とする遊技球発射装置。
【請求項２】
プッシュロッドがその周方向に回転することを防止する回転防止手段が前記リア軸受に設けられている、ことを特徴とする請求項１に記載の遊技球発射装置。
【発明の詳細な説明】
【技術分野】
【０００１】
本発明はパチンコ玉等の遊技球用の発射装置に関する。
【背景技術】
【０００２】
従来より、パチンコ玉を遊技面へ発射する発射装置にプランジャ式ソレノイドを利用したものが提案されている（特許文献１又は特許文献２参照）。
かかるプランジャ式ソレノイド駆動の発射装置では、プランジャにプッシュロッドが貫通され、筒状のコイルボビンにプランジャが遊挿される。コイルボビンには電磁コイルが巻回されて、電磁コイルへパルス状の電力を印加することによりプランジャを移動させてプッシュロッドの先端でパチンコ玉を打撃する。
【特許文献１】特開２００２−１７０８１号公報
【特許文献２】特開平９−２４８３７０号公報
【発明の開示】
【発明が解決しようとする課題】
【０００３】
遊技球発射装置には遊技球の発射精度（遊技面への飛び出し速度、及び方向性）が求められることはもとより、発射装置に耐久性と省電力性が求められる。
しかしながら、従来より提案されているプランジャ式ソレノイド駆動の遊技球発射装置では、これらの要請を充分に満足できていない。
本発明者らは、プランジャ式ソレノイド駆動の遊技球発射装置について鋭意検討を重ねてきたところ、下記の知見に想到した。即ち、パチンコ玉を発射するにはパチンコ玉に衝突する打撃部材（即ち、プッシュロッド）に所定の運動エネルギー（ｍＶ、ｍ：質量、Ｖ：速度）が要求されるが、遊技球の発射装置では、打撃部材の質量ｍを小さくして、その速度Ｖの制御幅を大きくすることが好ましい。ソレノイドへ印加する電力によってプランジャの移動速度を大きな範囲で制御できるからである。換言すれば、打撃部材の質量が大きいとソレノイドへ印加する電力を変化させてもその速度の変化幅が小さく、パチンコ玉の微妙なコントロールには不向きとなる。また、打撃部材の質量が大きいと、ソレノイドの消費電力も大きくなる。
【課題を解決するための手段】
【０００４】
本発明者らは、上記の知見に基づき、打撃部材の質量をできる限り軽減化しつつ、打撃部材に充分なスピードを与えることのできる新規なプランジャ式ソレノイド駆動の遊技球発射装置につき検討を重ねてきた結果、下記構成の本発明に想到した。即ち、
ケースと、該ケースに挿着されたガイドパイプと、前記ケースとガイドパイプとの間に配置される電磁コイルと、前記ガイドパイプへ遊挿されるプランジャとを備える遊技球発射装置であって、
前記プランジャにはプッシュロッドが貫通して挿着され、前記ガイドパイプの前端と後端にはそれぞれフロント軸受とリア軸受とが固定されて、該フロント軸受とリア軸受に前記プッシュロッドが遊挿され、
前記リア軸受は前記ガイドパイプ内へ突出する突出部を備え、該突出部の先端側で前記プッシュロッドを支持し、
前記プランジャは前記リア軸受の突出部に遊嵌する凹部を備え、
前記電磁コイルがオフの状態で前記プランジャの凹部は前記リア軸受の突出部に重なり、前記電磁コイルがオンとなると前記プランジャは前記リア軸受から離れる方向に移動する、
ことを特徴とする遊技球発射装置。
【０００５】
このように構成された本発明の遊技球発射装置によれば、打撃部材としてのプッシュロッドに充分な速度（打撃時）を与えるため、そのストロークを長くすることとなるが、その結果、プッシュロッドが芯ズレするおそれがある。プッシュロッドが芯ズレしてのその軌道が不安定になると、パチンコ玉への衝突も不安定となるので好ましくない。そこで、ガイドパイプを設けてその前後端にそれぞれ軸受（フロント軸受、リア軸受）を取付け、この一対の軸受でプッシュロッドを支持することによりその軌道を安定化させている。
【０００６】
更に、リア軸受はガイドパイプ内へ突出する突出部を備え、この突出部の先端側で前記プッシュロッドを支持する。そのため、プッシュロッドのストロークを当該突出部で吸収することができる。換言すれば、当該突出部がないと、ストロークに対応した長さだけリア軸受よりプッシュロッドが突出することとなるが、ストロークに対応した長さの突出部を設けることにより、プッシュロッドの突出を防止できる。これにより、装置がコンパクト化される。
【０００７】
この発明の第２の局面は次のように規定される。即ち、
第１の局面に記載の遊技球発射装置において、プッシュロッドがその周方向に回転することを防止する回転防止手段が前記リア軸受に設けられている。
プッシュロッドの回転を防止することにより、プッシュロッドによるパチンコ玉の打撃が安定する。
【発明を実施するための最良の形態】
【０００８】
以下、本発明を具体化した実施例について、図１〜図３を参照しつつ説明する。
図１は実施例の遊技球発射装置の構成を示す断面図である。
この遊技球発射装置１は円筒状のヨーク３をケースとしてその内側にコイルボビン５を同芯的に収めている。図中の符号６は電磁コイル、符号７はヨーク蓋である。
コイルボビン５にはガイドパイプ１１が同芯的に嵌合されている。このガイドパイプ１１は真鍮、ステンレス鋼等の非磁性材料で形成される。ガイドパイプ１１はコイルボビン５よりも長く、コイルボビン５の中心はガイドパイプ１１の中心よりパチンコ玉側に位置している。
【０００９】
ガイドパイプ１１のパチンコ玉側端部の外周にはストッパ３１が嵌合固定され、このストッパ３１の内周が軸受部（フロント軸受１３）となる。ストッパ３１はヨーク３へ連結されている。ストッパ３１は非磁性の金属製であり、その内周に樹脂製（ＰＰＳ（ポリフェニレンサルファイド）等）の軸受材料を嵌め込み、プッシュロッド５１を通す孔が穿設される。
ガイドパイプ１１の他端にはリア軸受１５が嵌合されている。このリア軸受１５はガイドパイプ１１の内周面に固定されるフランジ部１５１、該フランジ部１５１からガイドパイプ１１の内側へ突出する突出部１５３及びフランジ部１５１から更に拡径されるリテーナ部１５５を備えている。このリア軸受１５もＰＰＳ等からなる樹脂製である。
この実施例では、フロント軸受１３はストッパ３１を介してガイドパイプ１１へ固定されている。これにより、軸受部材へプッシュロッドの挿通孔を穿設する際や、プッシュロッド５１を軸受部材に挿通させる際に生じる切り子などを、ガイドパイプ１１から排出することができる。即ち、ガイドパイプ１１、軸受１３，１５及びプッシュロッド５１のアッセンブリにおいて、最終段階でストッパ３１をガイドパイプ１１のフロント側へ嵌合させることができるからである。
ガイドパイプ１１の軸芯とプッシュロッド５１の軸芯とを一致させるため、ストッパ３１はガイドパイプ１１のフロント端部に密着して嵌合する部分と、当該嵌合部分から縮径してフロント軸受１３を保持する保持部分とを備えることが好ましい。嵌合部分と保持部分の各軸芯も一致している。
【００１０】
リア軸受１５にはリテーナ部１５５から突出部１５３までに至る凹部１５４が形成されている。
リア軸受１５のフランジ部１５１の表面に消音ゴム１６が配設されている。
図３に示すように、リア軸受１５で支持されるプッシュロッド５１には平坦部５３が形成されている。また、突出部１５３の内周面形状も当該プッシュロッド５１の形状に対応している。これにより、プッシュロッド５１の回転が防止される。即ち、平坦部５３及びこれと嵌め合いになるリア軸受１５とでプッシュロッド５１の回転防止手段が構成される。
【００１１】
ヨーク３の後端側にはリアストッパ３５が嵌め合わされている。リアストッパ３５の左端は外側に折曲げられてヨーク蓋７に固定され、リアカバー３５の右端は内側に折曲げられてリア軸受１３のリテーナ部１３５に固定されている。
【００１２】
プッシュロッド５１はフロント軸受１３及びリア軸受１５に対してその軸方向へ移動自在に遊挿される。リア軸受１５はその突出部１５３の先端部分でプッシュロッド５１を支持している。換言すれば、リア軸受１５においてプッシュロッド５１を支持する部分がガイドパイプ１１の端部よりその内側に位置する。
プッシュロッド５１のほぼ中央にプランジャ６０が嵌合固定されている。このプランジャ６０のリア軸受１５に対向する部分には凹部６１が形成され、凹部６１の筒状周壁６３とリア軸受１５の突出部１５３とが遊嵌状態となる。換言すれば、プランジャ６０の凹部６１がリア軸受１５の突出部１５３へ重なっている。筒状周壁６３の先端はリア軸受１５のフランジ部１５１に取付けられた消音ゴム１６に当接する。
【００１３】
ここに、プランジャ６０において筒状周壁６３もヨーク３からの作用を受ける。従って、筒状周壁６３をリア軸受１５の突出部１５３へ被せる構成を採用することにより、筒状部材６３を当該突出部１５３の先端へ当接させることに比べて、装置の軽量化及びコンパクト化をはかりつつ、プランジャ６０に充分な力を与えることができる。
即ち、コイル６がオフの状態において、リア軸受１５のプッシュロッド５１を支持する部分が、プランジャ６０の内側に存在するようにすることが好ましい。
符号６５は圧縮コイルばねであり、プランジャ６０を常にリア軸受１５側に付勢している。プランジャ６０の先端面にも消音ゴム６６が固定されている。
【００１４】
コイル６がオフである図１の状態から、コイル６へ電力（パルス状の電圧）を印加すると、プランジャ６０が図示左側へ移動して、パチンコ玉Ｐを打撃する（図２参照、コイル６がオンの状態）。
そして、電力の印加が終了すると、ばね６５の作用により、図１の状態に戻る。
ここに、プランジャ６０のストロークの長さＳ１は、リア軸受１５の支持部分から突出するプッシュロッド５１の部分の長さＳ２より長くなければならない。この実施例では、当該突出部分の長さＳ２を凹部１５４の長さＳ３より長くしているが、凹部１５４の長さＳ３≧突出部分の長さＳ２とすることもできる。この場合、プッシュロッドはリア軸受に収納されることとなり、装置がコンパクトになる。
【００１５】
次に、実施例の遊技球発射装置１を用いた試験例について説明する。
図４に試験装置に概略を示す。
図４において参照番号１００は恒温室であり、エアコンディショナ１０１により内部の温度及び湿度を任意に制御できる。この恒温室１００に実施例の発射装置１を４５°傾斜した状態で設置する。１ｍ離れた壁に直径１０ｃｍの円形な的１１０を取付ける。この的１１０は圧力センサ１１３を備え、パチンコ玉が衝突すると信号を判定回路１１７へ出力する。
駆動回路１１５によりパチンコ玉が的１１０に当たるように発射装置１へ印加する電圧を調整する。パチンコ玉１１０が的に連続して当たることを確認した後、試験を開始する。
駆動回路１１５を駆動して所定のタイミング（例えば５秒毎）に出力信号を発射装置１へ印加してこれをオンとする。このタイミングに同期して判定回路１１７でパチンコ玉が的１１０に当たったか否かを判定する。即ち、発射装置１をオンとした後、パチンコ玉が的１１０に当たるまでに要する時間は一定であるので、判定回路１１７では当該時間を考慮して駆動回路１１５の出力信号と圧力センサ１１３の出力とを照合し、発射されたパチンコ玉毎にこれが的に当たったか否かを判定する。判定結果は出力装置（プリンタ等）１１９へ出力される。
【００１６】
本発明者らの検討によれば、常温状態で連続して１００００発のパチンコ玉を発射したとき、的１１０に当たる確率は１００％であった。
また、恒温室１００の温度を-１５℃〜９０℃（１０分で１０℃変化させる：湿度は約８０％に維持）の範囲で変化させながら、連続して１００００発のパチンコ玉を発射し、同様にして的１１０に当たる確率を調べたところ、当たる確率は１００％であった。
以上より、実施例の発射装置がパチンコ機用のものとして優れていることがわかる。
【００１７】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【図面の簡単な説明】
【００１８】
【図１】この発明の実施例の遊技球発射装置の断面図（コイル；オフ状態）である。
【図２】この発明の実施例の遊技球発射装置の断面図（コイル；オン状態）である。
【図３】図１におけるIII-III線断面図である。
【図４】実施例の遊技球発射装置の性能試験を示す図である。
【符号の説明】
【００１９】
１  遊技球発射装置
３  ヨーク
５  コイルボビン
６  コイル
１１  ガイドパイプ
１３  フロント軸受
１５  リア軸受
５１  プッシュロッド
６０  プランジャ
【図１】
2009005882.tif 000003
【図２】
2009005882.tif 000004
【図３】
2009005882.tif 000005
【図４】
2009005882.tif 000006